(57)【要約】【課題】受光素子が正しい位置や姿勢に固定された光ピックアップ装置を提供する。【解決手段】情報の再生および／または記録に用いるレーザービームを出射する半導体レーザ素子と、記録媒体で反射したレーザービームである反射光が入射される受光素子２０と、受光素子２０を支持する光学ベース６０とを有している。光学ベース６０は、箱部を有している。受光素子２０は、光箱部に収容されるように固定されている。【選択図】　　　図２
2004039087.tif 000002
【特許請求の範囲】
【請求項１】
光記録媒体に対して情報の再生および記録のうちの少くとも再生を行う光ディスクドライブに用いられる光ピックアップ装置であって、情報の再生および／または記録に用いるレーザービームを出射する半導体レーザ素子と、記録媒体で反射した前記レーザービームである反射光が入射される受光素子と、前記受光素子を支持する光学ベースとを有する光ピックアップ装置において、
前記光学ベースは、箱部を有しており、
前記受光素子は、前記箱部に収容されるように固定される特徴とする光ピックアップ装置。
【請求項２】
前記受光素子は、光硬化性樹脂を用いて前記光学ベース内に固定される請求項１に記載の光ピックアップ装置。
【請求項３】
前記光学ベースは、前記受光素子が固定される部分に孔部を備えており、前記孔部は、光硬化性樹脂を供給する通路として機能する請求項２に記載の光ピックアップ装置。
【請求項４】
前記孔部は、光硬化性樹脂の量を規制する請求項３に記載の光ピックアップ装置。
【請求項５】
前記孔部は、硬化用光を光硬化性樹脂に照射する通路として機能する請求項３または４に記載の光ピックアップ装置。
【請求項６】
前記光学ベースは、前記受光素子の受光面を臨む位置に第２の孔部を備えており、前記第２の孔部は、前記受光素子による反射光の検出範囲を規定するオリフィスとして機能する請求項１乃至５のいずれかに記載の光ピックアップ装置。
【発明の詳細な説明】
【０００１】
【発明の属する技術分野】
本発明は、ＣＤ、ＣＤ−ＲＯＭ、ＭＤ、ＣＤ−Ｒ、ＣＤ−ＲＷ、ＤＶＤ−Ｒ、ＤＶＤ−ＲＷ、ＤＶＤ−ＲＡＭ、およびＤＶＤ＋ＲＷ等の光記録媒体（光ディスク）に対して情報の再生および記録のうちの少くとも再生を行う光ディスクドライブに用いられる光ピックアップ装置に関する。
【０００２】
【従来の技術】
上記のような光ディスクに対する情報の再生および記録には、光ピックアップ装置を備えた光ディスクドライブが用いられている。この種の光ピックアップ装置は、一般に、情報の再生および／または記録に用いるレーザービームを出射する半導体レーザ素子と、記録媒体で反射した前記レーザービームである反射光が入射される受光素子と、前記受光素子を支持する光学ベースと、その他の、回折格子、ビームスプリッタ、コリメートレンズ、立ち上げミラー、１／４波長、および対物レンズ等の各種光学系とを備えている。
【０００３】
図１（ａ）および（ｂ）は、従来の光ピックアップ装置における受光素子近傍の構成を示す図である。図１（ａ）および（ｂ）を参照して、この光ピックアップ装置は、光学ベース１０と、紫外線硬化性樹脂３０を用いて光学ベース１０の一面上に固定された受光素子２０とを有している。
【０００４】
【発明が解決しようとする課題】
図１に示した例をも含め、従来の光ピックアップ装置には、次のような問題点がある。
【０００５】
紫外線硬化性樹脂は、硬化時にある程度収縮を伴う。このため、例えば、左右の樹脂塊間、あるいは、一塊内での複数箇所間での収縮の度合いが異なった場合、受光素子が正しい位置や姿勢にならない虞がある。
【０００６】
それ故、本発明の技術的課題は、受光素子が正しい位置や姿勢に固定された光ピックアップ装置を提供することである。
【０００７】
【課題を解決するための手段】
本発明によれば、光記録媒体に対して情報の再生および記録のうちの少くとも再生を行う光ディスクドライブに用いられる光ピックアップ装置であって、情報の再生および／または記録に用いるレーザービームを出射する半導体レーザ素子と、記録媒体で反射した前記レーザービームである反射光が入射される受光素子（２０）と、前記受光素子（２０）を支持する光学ベース（６０）とを有する光ピックアップ装置において、前記光学ベース（６０）は、箱部を有しており、前記受光素子（２０）は、前記箱部に収容されるように固定される特徴とする光ピックアップ装置が得られる。
【０００８】
本発明によればまた、前記受光素子（２０）は、光硬化性樹脂（３０）を用いて前記光学ベース（６０）内に固定される前記光ピックアップ装置が得られる。
【０００９】
本発明によればさらに、前記光学ベース（６０）は、前記受光素子（２０）が固定される部分に孔部（６２）を備えており、前記孔部（６２）は、光硬化性樹脂（３０）を供給する通路として機能する前記光ピックアップ装置が得られる。
【００１０】
また、本発明によれば、前記孔部（６２）は、光硬化性樹脂（３０）の量を規制する前記光ピックアップ装置が得られる。
【００１１】
さらに、本発明によれば、前記孔部（６２）は、硬化用光を光硬化性樹脂（３０）に照射する通路として機能する前記光ピックアップ装置が得られる。
【００１２】
また、本発明によれば、前記光学ベース（６０）は、前記受光素子（２０）の受光面を臨む位置に第２の孔部（６３）を備えており、前記第２の孔部（６３）は、前記受光素子（２０）による反射光の検出範囲を規定するオリフィスとして機能する前記光ピックアップ装置が得られる。
【００１３】
尚、上記括弧内の参照符号は、本発明の理解を容易にするために付したものであり、一例に過ぎず、これらに限定されないのは、勿論である。
【００１４】
【発明の実施の形態】
以下、本発明の実施の形態について図面を参照しながら説明する。
【００１５】
本発明の実施の形態による光ピックアップ装置は、ＣＤ、ＣＤ−ＲＯＭ、ＭＤ、ＣＤ−Ｒ、ＣＤ−ＲＷ、ＤＶＤ−Ｒ、ＤＶＤ−ＲＷ、ＤＶＤ−ＲＡＭ、およびＤＶＤ＋ＲＷ等の光記録媒体に対して、レーザビームを照射して情報の再生を行う光ドライブに用いられる光ピックアップ装置である。
【００１６】
図２（ａ）〜（ｃ）を参照して、本光ピックアップ装置は、図１（ａ）および（ｂ）に示した従来例と同様に、情報の再生および／または記録に用いるレーザービームを出射する半導体レーザ素子（図示せず）と、記録媒体で反射したレーザービームである反射光が入射される受光素子２０と、受光素子２０を支持する光学ベース６０とを有している。受光素子２０は、紫外線硬化性樹脂３０を用いて光学ベース６０に固定されている。
【００１７】
光学ベース６０は、箱状を呈しており（箱部を有しており）、受光素子２０は、光学ベース６０内（箱部）に収容されるように固定されている。受光素子２０が箱内に収容されていることで、紫外線硬化樹脂３０が硬化する前に人手などに受光素子２０が不用意に押されることがない。
【００１８】
光学ベース６０は、受光素子２０が固定される部分、即ち、受光面とは反対の背面を臨む位置に、孔部６２を備えている。
【００１９】
孔部６２は、紫外線硬化性樹脂３０を図示しないフィラーによって供給する際の案内をなす通路として機能する。また、孔部６２は、紫外線硬化性樹脂３０の量を規制する。即ち、紫外線硬化性樹脂３０は、孔部６２の側壁と受光素子２０の背面とで規定される空間によって、所定量充填される。このため、紫外線硬化性樹脂３０の使用量を従来よりも少くできる一方、充填不足になる虞がない。さらに、孔部６２は、硬化用光を紫外線硬化性樹脂３０に照射する通路として機能する。即ち、紫外線を孔部６２の開口全域をカバーするように照射することで、不要な照射領域に照射するという不合理がない。
【００２０】
光学ベース６０はまた、受光素子２０の受光面を臨む位置に、第２の孔部６３を備えている。
【００２１】
第２の孔部６３は、受光素子２０による反射光の検出範囲を規定するオリフィスとして機能する。このため、入射光が所定範囲および所定強度にフィルタされ、紫外線硬化樹脂３０が硬化する前に試験用レーザ光を照射に対する受光素子２０の検出出力をモニタしながら受光素子２０の位置を微調整する作業が容易になる。
【００２２】
尚、本例では、紫外線硬化性樹脂を用いたが、他の光線によって硬化する光硬化性樹脂を用いることも可能である。また、本発明による構造は、モニタ受光素子等、光硬化性樹脂を用いて固定する、光ピックアップ装置における他の光学系もしくは機械系部品にも適用可能である。
【００２３】
【発明の効果】
本発明による光ピックアップ装置は、受光素子が正しい位置や姿勢に固定される。また、光硬化性樹脂の使用量を従来よりも少くできる一方、充填不足になる虞がなく、低コスト化を実現できると共に組み立て作業が容易になるばかりか、正しい位置に確実に固定でき、機器としての信頼性が向上する。
【図面の簡単な説明】
【図１】従来の光ピックアップ装置の要部を示す図である。
【図２】本発明の実施の形態による光ピックアップ装置の要部を示す図である。
【符号の説明】
１０、６０　　光学ベース
２０　　受光素子
３０　　紫外線硬化性樹脂
６２　　孔部
６３　　第２の孔部
【図１】
2004039087.tif 000003
【図２】
2004039087.tif 000004